(57)【要約】【課題】他の携帯用カートリッジから識別される、高密度、ランダム・アクセス・データ記憶携帯用カートリッジ、およびこうしたカートリッジに格納されたデータを識別しそれにアクセスする手段を提供すること。【解決手段】データ記憶カートリッジ（４０）は、磁気ディスク・ドライブ・アセンブリ（６０）をケースに入れ、リーダ・ブロックを有するテープ・カートリッジの外側寸法フォームファクタをもつ。このカートリッジをテープ・カートリッジと区別するため、カートリッジ・シェルは、リーダ・ブロック穴の位置に遮断部（４２）を備える。転送機構（１００）は、光源（１０５、１０６）およびリーダ・ブロック穴に向けた対向するセンサ（１１５、１１６）を使用して、カートリッジを識別し、カートリッジがカートリッジ受け部内の移動の終端部に存在することを示す。他の実施形態では、ケース入り磁気ディスク・ドライブ・アセンブリは、ショックマウント（６２）によってカートリッジ・シェル（４１）内で支持され取り付けられている。フレックス・ケーブルは、転送機構へのデータ転送のためカートリッジの反対側にある外部データ転送インターフェース（４８）と相互接続されて、機械的絶縁をもたらす。【選択図】図３
2004525475.tif 000002
【特許請求の範囲】
【請求項１】
概ねリーダ・ブロックを有するテープ・カートリッジの外側寸法フォームファクタのデータ記憶カートリッジ（４０）であって、前記リーダ・ブロックがスレッド・ピンによる係合のための穴を備えており、
データ記憶装置（６０、２５０、２４０）と、
前記リーダ・ブロックを有する前記テープ・カートリッジと実質的に同一の外側寸法フォームファクタを備え、前記リーダ・ブロック穴の前記位置の少なくとも一側部にある遮断部（４２）を備えて、前記データ記憶カートリッジの識別を前記テープ・カートリッジから差異化し、前記カートリッジ・シェルが前記データ記憶装置をその中に搭載する、カートリッジ・シェル（４１）とを備える、データ記憶カートリッジ。
【請求項２】
転送機構が、光源（１０５、１０６）、および前記リーダ・ブロック穴の位置でカートリッジが前記転送機構の受け部内の移動の終端部にある場合に感知するためのセンサ（１１５、１１６）を備えており、前記カートリッジ・シェル遮断部が、前記データ記憶カートリッジが前記受け部内の移動の終端部にある場合に、前記光源を前記センサから遮断し、それによって前記データ記憶カートリッジが前記受け部内の移動の終端部に存在することを示し、前記データ記憶カートリッジの前記差異化した識別を提供するように構成されている、転送機構（１００）と共に使用するための、請求項１に記載のデータ記憶カートリッジ。
【請求項３】
前記遮断部を前記リーダ・ブロック穴の前記位置の側部に追加して配置し、そこで前記スレッド・ピンが前記テープ・カートリッジの係合を開始し、それによって前記データ記憶カートリッジの係合を阻止し、前記データ記憶カートリッジの前記差異化した識別を提供する、請求項１または２に記載のデータ記憶カートリッジ。
【請求項４】
前記転送機構に対してデータ転送を提供するための前記データ記憶装置に結合された外部データ転送インターフェース（４８）をさらに備える、請求項１ないし３のいずれかに記載のデータ記憶カートリッジ。
【請求項５】
前記データ記憶装置を前記・カートリッジ・シェル内で支持し取り付けるショックマウント（６２）と、
前記データ記憶装置と前記外部データ転送インターフェースを相互接続するフレックス・ケーブルとをさらに備える、請求項４に記載のデータ記憶カートリッジ。
【請求項６】
位置合せピンを受けるための、前記外部データ転送インターフェースに位置決め穴をさらに備えて、前記外部データ転送インターフェースを前記転送機構に対して位置決めし、前記位置決め穴が、電気抵抗を有するプラスチック材料内に形成され、前記材料が前記データ記憶装置にその接地部で電気的に結合され、それによって前記材料を介して前記位置合せピンまでの静電放電経路が形成される、請求項４または５に記載のデータ記憶カートリッジ。
【請求項７】
前記外部データ転送インターフェースが、電力を前記転送機構から前記データ記憶装置に送るための、前記データ記憶装置に結合された送電インターフェースをさらに備え、前記送電インターフェースが前記フレックス・ケーブルを介して前記データ記憶装置に結合されている、請求項４ないし６のいずれかに記載のデータ記憶カートリッジ。
【請求項８】
前記データ記憶装置が
磁気ディスク・ドライブ・アセンブリ（６０）、
光ディスク・ドライブ・アセンブリ（２５０）、
不揮発性ソリッドステート記憶装置アセンブリ（２４０）、および
その組み合わせを含むグループから選択される、請求項１に記載のデータ記憶カートリッジ。
【請求項９】
携帯用データ記憶カートリッジに対してデータ転送を提供するための転送機構（１００）であって、前記データ記憶カートリッジが、概ねリーダ・ブロックを有するテープ・カートリッジの外側寸法フォームファクタを有し、前記リーダ・ブロックがそれを介してスレッド・ピンと係合するための穴を備えており、
前記携帯用データ記憶カートリッジを受けるための受け部と、
カートリッジが前記受け部内の移動の終端部にある場合の、前記リーダ・ブロック穴の前記位置に向けられた光源と、
カートリッジ・シェル遮断部による前記光源の遮断を感知し、それによって前記データ記憶カートリッジの前記差異化された識別を識別し、前記データ記憶カートリッジが前記受け部内の移動の終端部に存在することを示すための、前記光源から前記カートリッジの反対側にある前記リーダ・ブロック穴の位置に配置されたセンサとを備える、転送機構。
【請求項１０】
前記光源が、
赤外線源、
ＬＥＤ光源、
前記センサに向けて集束ビームを提供する集束源、および
その組み合わせを含むグループから選択される、請求項１３に記載の転送機構。
【請求項１１】
前記データ記憶カートリッジの外部データ転送インターフェースと対合する端末データ転送インターフェースと、
前記データ記憶カートリッジを、前記受け部の前記移動の終端部から、前記外部データ転送インターフェースが前記端末データ転送インターフェースと対合する位置に位置付けするための装填装置と、
前記データ記憶カートリッジの位置決め穴と対合して、前記外部データ転送インターフェースを前記端末データ転送インターフェースに位置合せする位置合せピンとをさらに備え、
前記データ記憶カートリッジの前記位置決め穴が、その中の静電源に電気的に結合され、前記位置合せピンが導電性であり接地経路に結合され、それによって前記データ記憶カートリッジの前記位置決め穴から前記接地経路までの静電放電経路が形成される、請求項１３に記載の転送機構。
【請求項１２】
前記データ記憶カートリッジの前記外部データ転送インターフェースが、送電インターフェースをさらに備え、前記端末データ転送インターフェースが、
電力を前記転送機構から前記データ記憶カートリッジの前記送電インターフェースに送るための端末送電インターフェースと、
前記データ記憶カートリッジと前記端末送電インターフェースとの間の電気的接触を確認するため、前記カートリッジ送電インターフェースへの電流に対応する電気的接触確認検出器と、
ランプ回路とを備えており、
前記電気的接触確認検出器による前記電気的接触の前記確認に対応し、それに応じて、前記データ記憶カートリッジの前記送電インターフェースへの電力の供給をゆるやかに増加する、請求項１１に記載の転送機構。
【請求項１３】
いくつかの携帯用データ記憶カートリッジの一部がデータ記憶媒体を含むデータ記憶媒体カートリッジを備え、いくつかの前記カートリッジが磁気ディスク・ドライブを含む磁気ディスク・ドライブ・カートリッジを備えている、携帯用データ記憶カートリッジを保管するための複数のストレージ・シェルフと、
前記データ記憶媒体カートリッジの前記データ記憶媒体上での読取りまたは書取りあるいはその両方のための少なくとも１つのデータ記憶ドライブと、
前記磁気ディスク・ドライブ・カートリッジに対してデータ転送を提供するための少なくとも１つの転送機構と、
前記ストレージ・シェルフ、前記少なくとも１つのデータ記憶ドライブ、および前記少なくとも１つの転送機構の中で前記携帯用データ記憶カートリッジを把持し輸送するための少なくとも１つのロボット・アクセサとを備えている、自動データ記憶ライブラリ（９０）。
【請求項１４】
前記データ記憶媒体カートリッジおよび前記磁気ディスク・ドライブ・カートリッジが、実質的に同一の外側寸法フォームファクタを備え、前記少なくとも１つのロボット・アクセサが、前記データ記憶媒体カートリッジおよび前記磁気ディスク・ドライブ・カートリッジを同様に把持するための把持部を備えている、請求項１３に記載の自動データ記憶ライブラリ。
【請求項１５】
前記転送機構がさらに、
前記磁気ディスク・ドライブ・カートリッジの外部データ転送インターフェースと対合するための端末データ転送インターフェースと、
前記磁気ディスク・ドライブ・カートリッジを、前記外部データ転送インターフェースと前記端末データ転送インターフェースが対合する位置に位置付けるための装填装置とを備える、請求項１３に記載の自動データ記憶ライブラリ。
【請求項１６】
前記転送機構が、前記磁気ディスク・ドライブ・カートリッジの位置決め穴と対合するための位置合せピンをさらに備えて、前記外部データ転送インターフェースを前記端末データ転送インターフェースと位置合せし、
前記磁気ディスク・ドライブ・カートリッジの前記位置決め穴が、その静電源に電気的に結合され、前記転送機構の位置合せピンが導電性であり、接地経路に結合され、それによって前記磁気ディスク・ドライブ・カートリッジの前記位置決め穴から前記接地経路までの静電放電経路が形成される、請求項１５に記載の自動データ記憶ライブラリ。
【請求項１７】
前記磁気ディスク・ドライブ・カートリッジの前記外部データ転送インターフェースが、送電インターフェースをさらに備え、前記端末データ転送インターフェースが、
電力を、前記転送機構から前記磁気ディスク・ドライブ・カートリッジの前記送電インターフェースに送るための端末送電インターフェースと、
前記磁気ディスク・ドライブ・カートリッジと前記端末送電インターフェースとの間の電気的接触を確認するための、前記カートリッジ送電インターフェースへの電流に対応する電気的接触確認検出器とをさらに備え、
前記端末送電インターフェースが、ランプ回路をさらに備え、前記電気的接触確認検出器による前記電気的接触の前記確認に対応し、それに応じて、前記磁気ディスク・ドライブ・カートリッジの前記送電インターフェースへの電力の供給をゆるやかに増加する、請求項１５に記載の自動データ記憶ライブラリ。
【請求項１８】
カートリッジ・シェルと、
後部を有するケース入り独立型磁気ディスク・ドライブ・アセンブリと、
前記カートリッジ・シェルに搭載された、転送機構に対してデータ転送を提供するための外部データ転送インターフェースと、
前記後部が、前記外部データ転送インターフェースの反対側にあるように、前記ケース入り磁気ディスク・ドライブ・アセンブリが配置されている、前記ケース入り磁気ディスク・ドライブ・アセンブリを前記カートリッジ・シェル内で支持しそれに取り付けるショックマウントと、
前記ケース入り磁気ディスク・ドライブ・アセンブリの前記後部を前記外部データ転送インターフェースと相互接続するフレックス・ケーブルとを備え、前記ショックマウントおよび前記フレックス・ケーブルが、前記ケース入り磁気ディスク・ドライブ・アセンブリを前記カートリッジ・シェルから機械的に絶縁する、携帯用磁気ディスク・ドライブ・カートリッジ。
【請求項１９】
携帯用データ記憶媒体カートリッジをストレージ・シェルフ内に保管し、前記携帯用データ記憶カートリッジを把持し輸送するための少なくとも１つのロボット・アクセサを有することができる自動データ記憶ライブラリと共に使用するための携帯用磁気ディスク・ドライブ・カートリッジであって、前記カートリッジ・シェルが、前記ストレージ・シェルフ内に保管し、前記ロボット・アクセサによって把持されるための外側寸法フォームファクタを備え、前記外部データ転送インターフェースが、前記カートリッジ・シェルに取り付けられ、前記ケース入り磁気ディスク・ドライブ・アセンブリに結合されて、前記自動データ記憶ライブラリに対してデータ転送を提供し、
前記カートリッジ・シェルが、前記携帯用データ記憶媒体カートリッジと実質的に同一の外側寸法フォームファクタを備えている、請求項１８に記載の携帯用磁気ディスク・ドライブ・カートリッジ。
【請求項２０】
前記転送機構が、前記携帯用磁気ディスク・ドライブ・カートリッジに対してデータ転送を提供し、複数の位置合せピンを備えており、前記携帯用磁気ディスク・ドライブ・カートリッジが、前記外部データ転送インターフェースに前記位置合せピンを受けるための複数の位置決め穴をさらに備えて、前記外部データ転送インターフェースを前記転送機構と位置合せし、
前記位置決め穴が、電気抵抗を有するプラスチック材料内に形成され、前記材料が前記磁気ディスク・ドライブ・アセンブリにその接地部で電気的に結合され、それによって前記材料を介して前記位置合せピンまでの静電放電経路が形成される、請求項１８に記載の携帯用磁気ディスク・ドライブ・カートリッジ。
【請求項２１】
前記外部データ転送インターフェースが、電力を、前記転送機構から前記ケース入り磁気ディスク・ドライブ・アセンブリに送るための、前記ケース入り磁気ディスク・ドライブ・アセンブリに結合された送電インターフェースをさらに備え、
前記送電インターフェースが、前記フレックス・ケーブルを介して前記ケース入り磁気ディスク・ドライブ・アセンブリに結合されている、請求項１８に記載の携帯用磁気ディスク・ドライブ・カートリッジ。
【請求項２２】
携帯用データ記憶媒体カートリッジをストレージ・シェルフ内に保管し、前記携帯用データ記憶カートリッジを把持し輸送するための少なくとも１つのロボット・アクセサを有することができる自動データ記憶ライブラリと共に使用するための携帯用磁気ディスク・ドライブ・カートリッジであって、
前記ストレージ・シェルフ内に保管し、前記ロボット・アクセサによって把持されるための外側寸法フォームファクタを備えたカートリッジ・シェルと、
前記カートリッジ・シェルに搭載された、ケース入り磁気ディスク・ドライブ・アセンブリと、
前記ケース入り磁気ディスク・ドライブ・アセンブリに結合されて、前記自動データ記憶ライブラリに対してデータ転送を提供する外部データ転送インターフェースとを備え、
前記カートリッジ・シェルが、前記携帯用データ記憶媒体カートリッジと実質的に同一の外側寸法フォームファクタを備えている、携帯用磁気ディスク・ドライブ・カートリッジ。
【請求項２３】
前記磁気ディスク・ドライブ・カートリッジの外部データ転送インターフェースと対合するための端末データ転送インターフェースと、
前記磁気ディスク・ドライブ・カートリッジを、前記外部データ転送インターフェースと前記端末データ転送インターフェースの対合する位置に位置付けするための装填装置とを備える、携帯用磁気ディスク・ドライブ・カートリッジに対してデータ転送を提供するための転送機構。
【請求項２４】
前記外部データ転送インターフェースを前記端末データ転送インターフェースと位置合せするための、前記磁気ディスク・ドライブ・カートリッジの対応する複数の位置決め穴と対合する複数の位置合せピンをさらに備え、
前記磁気ディスク・ドライブ・カートリッジの前記位置決め穴が、その静電源に電気的に結合され、前記転送機構の位置合せピンが導電性であり、接地経路に結合され、それによって前記磁気ディスク・ドライブ・カートリッジの前記位置決め穴から前記接地経路までの静電放電経路が形成される、請求項２３に記載の転送機構。
【請求項２５】
前記磁気ディスク・ドライブ・カートリッジの前記外部データ転送インターフェースが、送電インターフェースをさらに備え、
前記端末データ転送インターフェースが、
電力を、前記転送機構から前記磁気ディスク・ドライブ・カートリッジの前記送電インターフェースに送るための端末送電インターフェースと、
前記磁気ディスク・ドライブ・カートリッジと前記端末送電インターフェースとの間の電気的接触を確認するための、前記カートリッジ送電インターフェースへの電流に対応する電気的接触確認検出器とをさらに備える、請求項２３に記載の転送機構。
【発明の詳細な説明】
【技術分野】
【０００１】
本発明は、通常、データ記憶媒体、たとえば磁気テープを備え、通常、自動データ記憶ライブラリでロボットによって処理されて、データ記憶媒体にデータを書込みまたはそれから読取りあるいはその両方を行うためにデータ記憶ドライブ内に挿入される、カートリッジなどデータ記憶装置に用いられるタイプの携帯用カートリッジに関する。本発明は、さらに、こうした携帯用カートリッジを取扱う機構および自動データ記憶ライブラリに関する。
【背景技術】
【０００２】
２００２年４月２６日に出願の、同時継続および本願と同じ譲受人に譲渡された米国特許出願第０９／８４２，０３０号は、圧縮を用いた取外し可能な電気的接続、および携帯用カートリッジに対して取外し可能に電気的に結合するための転送機構に関する。
【０００３】
通常、データ記憶カートリッジは、磁気テープなどデータ記憶媒体を備えている。データ記憶媒体を、別のデータ記憶ドライブに挿入して、データをデータ記憶媒体から読取りまたはそれに書込みあるいはその両方を行うことができる。こうしたカートリッジは、時折アクセスされる大量のデータを格納する便利な手段である。それらは、多数のカートリッジをストレージ・シェルフに備え、ロボット・アクセサを用いて必要に応じてカートリッジにアクセスし、カートリッジをデータ記憶ドライブに送達することができる自動データ記憶ライブラリでは、特に有用である。
【０００４】
カートリッジは、開放し、または開いた状態にして、媒体をデータ記憶ドライブ内に挿入しなければならない。
【０００５】
単一リール磁気テープ・カートリッジの場合は、テープはリーダ・ブロックを有しており、リーダ・ブロックは、スレッド・ピンによって係合され、次いでデータ記憶ドライブ内に通される。テープが二重リール・カートリッジの場合、１巻のテープをデータ記憶ドライブ内に挿入し、１つのリールから巻き解き、カートリッジの別のリールに巻きつけなければならない。データ記憶媒体が光ディスクの場合は、ときにディスク全体をカートリッジから取外し、データ記憶ドライブに挿入しなければならない。
【０００６】
フロッピー（Ｒ）・ディスクの形態の取外し可能な磁気ディスクはどこにでもあり、とりわけ、取外し可能なハード・ディスクは、取外し可能なディスク・パックとして試みられている。どちらの場合も、カートリッジが開けられ、または開いた状態で、ディスクは、読取り／書込みヘッドによって接触される。たとえば、米国特許第５，２５３，２４６号は、様々なタイプの共通のフォームファクタの媒体のカートリッジを示しているが、媒体へのアクセスをもたらすためには、全てが開放式または開放可能なものである。
【０００７】
開放式または開放可能なカートリッジは、ごみが、データ記憶ドライブ、すなわちカートリッジのインターフェースに入る可能性がある。その結果、採用された技術は、こうしたごみに耐えられるものであり、媒体のデータ密度が厳しく制限されてしまう。携帯用磁気ディスク・ドライブは、特に、高データ密度および正確な許容度が必要とされる、小型の高データ容量および高データ・アクセス性能を強調するものである。したがって、当業者には周知であるように、携帯用磁気ディスク・ドライブは、通常、ケースに入れられて、ごみがドライブ内に入るのを阻止している。ドライブの開放はどれもドライブの故障を招く可能性が高い。さらに、ロボット・アクセサは、ときにカートリッジを落とし、またはカートリッジを粗雑に操作して置き誤ることがあり、また手動の操作でもときにカートリッジを落とし、粗雑に操作する可能性が高い。たとえば、米国再発行特許第３４，３６９号、または特開平７−２２０４６４号で、着脱可能なデータ記憶装置が知られているが、こうしたデバイスは、ロボット・アクセサまたは手動操作で行われるような粗雑な操作ができないという点で、真に携帯用ではない。米国特許第６，１５４，３６０号は、３つのショックパッド、およびディスク・ドライブの背後にあるＰＣＢコネクタをカートリッジのケーブル・コネクタに接続するフレックス回路を採用している。ＰＣＢコネクタは、カートリッジのケーブル・コネクタに面するディスク・ドライブの端部にあり、フレックス回路は、柔軟性の手段を提供するために、その長さに沿った複数のスリットを必要とし、わずかな横方向の柔軟性を有するようになされている。
【０００８】
特に、テープ技術によるデータ・アクセスは、テープをリールに巻きつけ、またはそれから巻き解いて、現時点でテープ・ヘッドに存在しないデータにアクセスしなければならない点で、主に線形である。したがって、データ・アクセスは線形であり、たとえばコンピュータ・システムの主記憶装置へのランダム・アクセスを含むメモリ・システムおよび高速ハード・ディスク・ドライブと比較すると遅い。
【０００９】
通常、データ記憶カートリッジからのデータにアクセスし、その後、同じカートリッジからの他のデータにアクセスし、またはデータをデータ記憶カートリッジ上で変更し書き換え、あるいはその両方を行う。したがって、データ転送の効率性が、データ記憶カートリッジの媒体の線形データ・アクセスによって損なわれる。
【特許文献１】
米国特許第５，２５３，２４６号
【特許文献２】
米国再発行特許第３４，３６９号
【特許文献３】
特開平７−２２０４６４号
【特許文献４】
米国特許第６，１５４，３６０号
【特許文献５】
米国特許第４，９０２，２３４号
【特許文献６】
米国特許第５，０５９，１２９号
【特許文献７】
米国特許第５，８７３，７４０号
【特許文献８】
米国特許第５，９４７，７５０号
【発明の開示】
【発明が解決しようとする課題】
【００１０】
本発明の目的は、他の携帯用カートリッジから識別される、高密度、ランダム・アクセス・データ記憶携帯用カートリッジ、およびこうしたカートリッジに格納されたデータを識別しそれにアクセスする手段を提供することである。
【００１１】
本発明の他の目的は、粗雑な操作ができる、高密度、ランダム・アクセス・データ記憶が可能な携帯用カートリッジを提供することである。
【課題を解決するための手段】
【００１２】
一実施形態では、データ記憶カートリッジは、一般に、リーダ・ブロックを有するテープ・カートリッジの外側寸法フォームファクタのものであり、リーダ・ブロックは、それを介してスレッド・ピンと係合するための穴を備えている。データ記憶カートリッジは、磁気ディスク・ドライブ・アセンブリ、光ディスク・ドライブ・アセンブリ、または不揮発性ソリッドステート記憶装置など、代替のデータ記憶装置を備えている。カートリッジをテープ・カートリッジと区別し、なおテープ・カートリッジも受ける自動データ記憶ライブラリまたは他のデバイスでも使用可能にするため、カートリッジ・シェルは、リーダ・ブロックを備えたテープ・カートリッジと実質的に同一の外側寸法フォームファクタを有し、リーダ・ブロックの穴の位置の少なくとも一側部に遮断部を備える。
【００１３】
本発明の一実施形態による転送機構は、その中にカートリッジが挿入される受け部を有しており、データ記憶カートリッジを識別し、かつ、受け部内でカートリッジが移動の終端部にある場合は、リーダ・ブロック穴の位置に向けて方向付けた光源、および光源からカートリッジの反対側にあるリーダ・ブロック穴の位置に配置されたセンサを用いて、受け部内でデータ記憶カートリッジが移動の終端部にあることを示す。したがって、転送機構は、カートリッジ・シェル遮断部による光源の遮断を感知し、それによってデータ記憶カートリッジの差異化した識別を識別し、受け部内でデータ記憶カートリッジが移動の終端部に存在していることを示す。
【００１４】
他の実施形態では、たとえば手動による粗雑な操作を受ける可能性があり、またはストレージ・シェルフ内に携帯用データ記憶媒体カートリッジを保管し、携帯用データ記憶カートリッジを把持し輸送するための少なくとも１つのロボット・アクセサを有することができる自動データ記憶ライブラリで使用するための、携帯用磁気ディスク・ドライブ・カートリッジを提供する。携帯用磁気ディスク・ドライブ・カートリッジは、カートリッジ・シェルを備えており、このカートリッジ・シェルは、ストレージ・シェルフ内に保管され、ロボット・アクセサで把持されるための外側寸法フォームファクタを有している。ケース入りの独立型磁気ディスク・ドライブ・アセンブリは、このケース入りの磁気ディスク・ドライブ・アセンブリを支持し取り付けるショックマウントによって、カートリッジ・シェル内に取り付けられている。フレックス・ケーブルは、ケース入り磁気ディスク・ドライブ・アセンブリをカートリッジの外部データ転送インターフェースと相互接続する。この外部データ転送インターフェースは、たとえば自動データ記憶ライブラリの転送機構に対してデータ転送を提供する。フレックス・ケーブルは、外部データ転送インターフェースから、外部データ転送インターフェースの反対側のディスク・ドライブ・アセンブリの端部であるディスク・ドライブ・アセンブリの後縁部に延びており、ディスク・ドライブ・アセンブリをカートリッジ・シェルから機械的に絶縁するための柔軟性を与える。
【００１５】
本発明の他の実施形態による自動データ記憶ライブラリは、携帯用データ記憶カートリッジを保管するための複数のストレージ・シェルフを備えており、携帯用データ記憶カートリッジの一部は、データ記憶媒体を含むデータ記憶媒体カートリッジを備え、カートリッジの一部は、磁気ディスク・ドライブを含む磁気ディスク・ドライブ・カートリッジを備えている。ライブラリはさらに、データ記憶媒体カートリッジのデータ記憶媒体上のデータを読取りまたは書取りあるいはその両方を行うための少なくとも１つのデータ記憶ドライブを備えており、少なくとも１つの転送機構は、磁気ディスク・ドライブ・カートリッジに対してデータ転送を提供し、少なくとも１つのロボット・アクセサは、ストレージ・シェルフ、データ記憶ドライブ、および転送機構の中で、携帯用データ記憶カートリッジを把持し輸送するためのものである。
【００１６】
本発明を十分に理解するために、添付の図面と共に、以下のさらなる詳細を参照されたい。
【発明を実施するための最良の形態】
【００１７】
本発明を好ましい一実施形態で以下の記載で図を参照して説明する。図では、同様の番号は同じまたは同様の要素を示す。本発明を、本発明の目的を達成するための最良の方法で記載するが、こうした技法に照らして、本発明の精神または範囲から逸脱することなく、変更を加えることができることを当業者には理解されたい。
【００１８】
図１および図２を参照すると、従来技術のデータ記憶カートリッジ１０は、通常、磁気テープなどデータ記憶媒体を備えており、データ記憶媒体を、別の従来技術のデータ記憶ドライブ１２内に挿入して、データをデータ記憶媒体から読取りまたは書取りあるいはその両方を行うことができるようにする。
【００１９】
カートリッジ１０は、開口を有し、または開放可能にして、媒体をデータ記憶ドライブ内に挿入することができるようにしなければならない。単一リール磁気テープ・カートリッジの場合、テープは、スレッド・ピン１５と係合し、次いでデータ記憶ドライブ１２内を縫うように通るリーダ・ブロック１４を有する。リーダ・ブロック１４は、カートリッジの開口１７内のくぼみに位置し入れ子になっている。開口１７は、３４８０／３４９０タイプの磁気テープ・カートリッジの場合は、カートリッジの一角にある。リーダ・ブロックは、カートリッジ内のリール上に置かれている磁気テープのリーダに連結される。リーダ・ブロックは、穴１９を有し、穴１９を介してスレッド・ピン１５を挿入する。スレッド・ピンの軸２０を穴の中に挿入し、カートリッジを下げ、またはスレッド・ピンを持ち上げて、リーダ・ブロック１４の形付けられた空洞がスレッド・ピンの拡大部分２１とインタロックするようにする。
【００２０】
スレッド・ピン１５は、アーム２２に連結され、アーム２２は、データ記憶ドライブ１２によって作動し、リーダ・ブロックをカートリッジから外に引き出し、磁気テープをリール２４上に通過させる。テープ・カートリッジ１０をスロット２６を介してカートリッジ受け２５内に装填し、スレッド・ピン１５がリーダ・ブロック１４と係合するようにする。次いで、アーム２２は、磁気テープ・リーダを備えたリーダ・ブロックを、受け２５から様々な軸受および読取りまたは書取りあるいはその両方を行うヘッド２７を介して、リール２４内の半径方向スロット２８、およびリールの中心位置に輸送する。次いで、リール２４は回転してテープを読取りまたは書取りあるいはその両方を行うヘッド２７を通過させて巻取って、磁気テープ上で読取りまたは書取りあるいはその両方を行う。
【００２１】
図１で示したように、磁気テープ・カートリッジ１０は、外側寸法フォームファクタを形成し、頂部半分３１および底部半分３２を有することができる、ほぼ長方形のカートリッジ・シェル３０を備えている。切欠き部３５が、テープ・カートリッジをシェルフ内の定位置に保持する傾向がある自動データ記憶ライブラリのストレージ・シェルフ内の保持部とインタロックするように設けられている。
【００２２】
図３を参照すると、データ記憶カートリッジ４０が設けられており、リーダ・ブロック１４を備えた図１のテープ・カートリッジ１０と実質的に同一の外側寸法フォームファクタを備えているカートリッジ・シェル４１を有している。データ記憶カートリッジは、テープ・カートリッジ・リーダ・ブロック穴１９の位置１７の少なくとも１側部に遮断部４２を備えて、データ記憶カートリッジ４０の識別をカートリッジ１０から差異化する。一態様では、遮断部４２は不透明であり、光源を、対応するセンサから光学的に遮断し、従来技術のリーダ・ブロック穴から光ビームを放射し、それによってデータ記憶カートリッジ４０をテープ・カートリッジから差異化する。あるいは、または追加として、不透明の遮断部４３をデータ記憶カートリッジ４０の反対側に配置することができる。他の態様では、遮断部４４は、リーダ・ブロック穴の位置の側部に配置され、そこで図１のスレッド・ピンが、図２のテープ・ドライブによってテープ・カートリッジの係合を開始し、それによってデータ記憶カートリッジの係合を阻止し、携帯用データ記憶カートリッジの差異化した識別を提供する。
【００２３】
図１のテープ・カートリッジ１０の切欠き部３５と同様の切欠き部４５が、データ記憶カートリッジをシェルフ内に保持する傾向がある自動データ記憶ライブラリのストレージ・シェルフ内の保持部とインタロックするように設けられている。
【００２４】
論じるように、カートリッジ・シェル４１は、その中にデータ記憶装置など、データ処理エージェントを搭載する。また論じるように、基板５０を組み込み、基板の対向面上に電気接点５１を有する、外部データ転送インターフェース電気コネクタ４８が設けられている。電気接点５１は、データ処理エージェントに結合され、対向する関係の場合、転送機構の電気接点と対合するように配置されている。
【００２５】
位置合せまたは位置決め穴５５および５６が設けられ、転送機構の対応する位置合せピンと対合して携帯用カートリッジ４０のデータ転送インターフェースを転送機構のデータ転送インターフェースに対して横方向に位置合せする。
【００２６】
図３の携帯用データ記憶カートリッジ４０の一例を示す分解図が、図４で示され、平面図が図５で示されており、ケース入り独立型かつ操作可能な磁気データ記憶ドライブ６０を備えている。カートリッジ・シェル４１内に嵌まる所望のフォームファクタのケース入り独立型磁気データ記憶ドライブの一例は、磁気データ記憶ドライブのIBM Travelstar２．５インチ（６．４ｃｍ）シリーズを備える。具体的には、図４および５は、カートリッジ・シェル４１の底部半分４６を示す。
【００２７】
図３〜図５を参照すると、一態様では、切欠き部５８および５９が設けられて、転送機構のローダが携帯用データ記憶カートリッジ４０と係合し、データ転送インターフェース電気コネクタ４８の電気接点５１を転送機構の対合する電気接点と非ワイピング接触状態にさせる。
【００２８】
他の態様では、ショックマウント６２は、カートリッジ・シェル４１内でデータ記憶装置を支持し取り付ける。図４および図５は、具体的に、ショックマウント６２の底部半分６３を示す。ショックマウント６２を配置して、データ記憶装置がカートリッジ・シェルまたはデータ転送インターフェース電気コネクタ４８との可能な機械的接触から完全に分離され絶縁されることを保証する。さらに、図６を参照すると、フレックス・ケーブル６５は、基板７１の電気接点５１を提供し、データ記憶装置と外部データ転送インターフェース４８を相互接続するが、データ記憶装置とカートリッジ・シェル４１の間の機械的接触を絶縁し、それによって、ケース入り磁気ディスク・ドライブ・アセンブリ６０など、データ記憶装置のカートリッジ・シェル４１からの完全な分離および絶縁を保証する。その結果、データ記憶装置は粗雑な扱いから保護され、ロボット・アクセサの動作または手動の操作によって、カートリッジが粗雑に操作されるような、カートリッジの落下または置き誤りに耐えることができるようになる。
【００２９】
本発明のこの態様に関して、カートリッジ・シェル４１、ショックマウント６２、データ転送インターフェース４８、およびフレックス・ケーブル６５は、特定のデータ記憶装置を支持し、データ記憶装置とカートリッジ・シェルの間の機械的接触を断つのに適したどの構成でもよい。具体的には、カートリッジ・シェル４１は、リーダ・ブロックを備えたテープ・カートリッジとは異なる外側寸法フォームファクタを含むことができる。一実施形態では、ケース入り磁気ディスク・ドライブ・アセンブリなどデータ記憶装置６０を、カートリッジ・シェル４１内に配置して、対向する端部６６がデータ転送インターフェース４８に対向し、後端部６７がデータ転送インターフェースの反対側にあるようにする。フレックス・ケーブル６５は、外部データ転送インターフェース４８とデータ記憶装置６０をデータ記憶装置の後端部６７で相互接続する。フレックス・ケーブル６５は、ショックマウント６２の完全な圧縮下でもひずみまたは引張りなく、データ転送インターフェースの反対側のカートリッジ・シェルの側部に向けて緩められるように、十分なたるみを提供する長さであることが好ましい。したがって、特許第６，１５４，３６０号とは違い、フレックス・ケーブル６５は、スリットなしの標準タイプであり、全方向に柔軟性を提供し、したがって機械的絶縁を提供する長さのフレックス・ケーブルを用いている。
【００３０】
データ記憶装置６０は、ケース入りの独立型で操作可能であり、必要な機械的電子構成部品を備えていることが好ましい。ケース入り磁気ディスク・ドライブ・アセンブリに関しては、アセンブリは、少なくとも１つの回転可能なディスク、ディスクを回転させるモータ、少なくとも１つのヘッド、探索と追跡およびアドレス指定するためのアクチュエータおよびサーボ・システム、モータ制御装置、および、データの読取りと書込み、また、たとえばＩＤＥ、ＳＣＳＩ、またはＰＣＩなど工業規格形式を用いるデータ転送インターフェースで通信するためのデータ処理電子装置を備える。したがって、このデバイスは、データ転送を提供するために開放する必要がない。
【００３１】
さらに図７、８、９および１０を参照すると、実質的に平らな背板７０が設けられ、図６のフレックス・ケーブル６５の終端部７１を支持し取り付け、電気コネクタ４８を形成している。背板７０およびフレックス・ケーブル終端部７１は、機械的支持のため、カートリッジ・シェル４１内のスロット７３および７４内にスナップ嵌りする。したがって、背板７０は、フレックス・ケーブル６５の対向面５０を支持し位置付けて、外部データ転送インターフェース電気コネクタを形成する。図１０は、ショックマウント６２の頂部半分７２およびカートリッジ・シェル４１の頂部半分７５も示す。
【００３２】
フレックス・ケーブル６５は、終端部７１および終端部６８で、対向面５０の電気接点５１に結合される複数のランドを備え、後端部６７のコネクタ７６で、たとえばケース入り磁気データ記憶ドライブ６０など、データ記憶装置に結合されて、上記に記載した絶縁をもたらす。
【００３３】
一実施形態では、実質的に平らな基板の対向面５０の電気接点５１は、金の接触面を提供するために金を含むパッドを備える。たとえば、この接触部は、その上にニッケルなど拡散隔膜がメッキされた銅パッド、および拡散隔膜上にメッキされているが標準よりも厚くメッキされたＴｙｐｅＩＩ金パッドを備える。一例として、金パッドの厚さは、実質的に１００マイクロインチ（２．５４μｍ）である。当業者によって定義されているように、約８マイクロインチ（０．２μｍ）のメッキは「フラッシュ」とみなされ、約１５マイクロインチ（０．３８μｍ）は「適当」とみなされ、約３０マイクロインチ（０．７６μｍ）は「標準」とみなされる。拡散隔膜は、５０マイクロインチ（１．３μｍ）よりも厚くメッキすることが好ましい。ＴｙｐｅＩＩ金パッドは、当業者によって「剛性の金」とも呼ばれ規定のセットの合金を含んでいる。金パッドは電解メッキされるのが好ましい。
【００３４】
代替実施形態では、パラジウムまたはパラジウムニッケルなど、金に似た特性をもつ他の材料を電気接点５１に使用することができる。電気接点を形成するパラジウムを含むパッドは、金「フラッシュ」層を有することができる。
【００３５】
好ましい一実施形態では、電気接点５１は、実質的に平らで、パッド上に実質的に平らな接触面を有している。電気接触物理学は、実際の接触は、接触面が実質的に平らであっても、接触インターフェースを介して分散した、「吸引（aspirates）」と呼ばれる、接触面上の小さい微細構造の高い点（high spot）を介してなされることを定義している。
【００３６】
代替実装形態では、電気接点５１は、パッド上の形付けた表面を有する形状接触部を備えることができる。「Hertzian」の理論によれば、表面の形付けは、小さい接触面に接触力を集中する傾向がある。形付けは、メッキまたは材料を取り除くことによって行うことができ、たとえばへこみ、クラウンを付けたもの、ヘルツ応力点、球面上の平坦部、樹状突起、交差シリンダ、カップ上の球、または彫刻などと呼ばれる、様々な形状をとることができる。
【００３７】
さらに、実質的に平らな基板の対向面の少なくとも１つの電気接点５１は、以下に記載する、細長い接触部を備える。
【００３８】
図８の断面図で示したように、背板７０は、「Ｈ型」ビームの一般の形状であり、フレックス・ケーブル終端部７１を支持し位置付ける前部７７、および構造強度を与える後部７８を備えている。以下に論じるように、データ記憶カートリッジ４０は、転送機構内に装填された場合、対向面５０に対して垂直方向のかなりの力、たとえば１０ポンド（４５４０グラム）より大きい力を受けて、転送機構データ転送インターフェースと非ワイピング接触を生じ、背板が、かなりの構造強度、たとえば剛性かつ耐性のプラスチックからなることが必要とされる。良好な構造強度を有するプラスチックの例は、Phillips66からのポリフェニレンスルフィド樹脂「Ryton」、ＧＥからのポリエーテルイミド樹脂「Ultem」、およびＧＥからのポリカーボネート「Lexan」を含む。
【００３９】
他の態様では、位置合せまたは位置決め穴５５および５６が、実質的に平らな基板５０に非常に近接した実質的に平らな背板７０内に設けられている。フレックス・ケーブル終端部７１の基板５０は、組み立てる場合は、終端部７１の穴８０および８１を介して、それぞれ背板７０の穴８２および８３内に挿入されるプローブの使用によって、背板７０に対して位置合せされる。したがって、実質的に平らな基板の対向面５０は、背板７０およびその位置合せまたは位置決め穴５５および５６に対して位置合せされる。位置合せ穴は、対応する転送機構の位置合せピンと対合するように配置されて、外部データ転送インターフェース電気コネクタ４８を転送機構に対して位置合せする。
【００４０】
フレックス・ケーブル６５は、データ処理エージェントまたはデータ記憶装置に結合されて、接触している転送機構にデータ転送を提供する他に、データ処理エージェントの電力入力に結合されて、転送機構からデータ処理エージェントに電力を供給する。
【００４１】
他の態様では、背板７０は、転送機構に対して位置合せし位置決めされた場合、穴５５または５６あるいはその両方で位置合せピンと接触する。背板７０は、電気抵抗性を有する半導体プラスチック材料を含む。一例では、材料は、炭素１０％〜３０％を充填したプラスチックからなる、十分な量の埋め込み炭素を有して、電気抵抗をもたらす。代替形態として、背板７０は、２つのプレートを有し、１つのプレートは、「Ｈ型」ビームを備え、他方のプレートは好ましくは、「Ｈ型」ビームの前にあり、位置合せ穴を有し、炭素を充填した半導体部材を備える。背板は、フレックス・ケーブル６５のランド８５によってデータ記憶装置に電気的に結合されて、接地され、それによってデータ記憶装置から背板まで、かつ電気的半導体材料を介して、以下に論じるように電気的に接地された転送機構の位置合せピンまでの静電放電経路を形成する。上記に論じたプラスチックはどれも、炭素を充填し、背板７０として使用され、または２つのプレートの１つが炭素充填したものとして使用される。炭素充填プラスチックの特定例は、「Stat-Kon DC-1004-FR」と呼ばれる、炭素２０％を充填したポリカーボネートを含む。
【００４２】
図１１は、図１のテープ・カートリッジ１０および図３のデータ記憶カートリッジ４０に対して、保管、輸送、データ転送を提供する自動データ記憶ライブラリ９０を示す。ライブラリ９０は、テープ・カートリッジ１０など、データ記憶媒体上のデータの読取りまたは書取りあるいはその両方を行う、少なくとも１つの、好ましくは複数のデータ記憶ドライブ９２を備える。さらに、ライブラリは、データ記憶カートリッジ４０に対してデータ転送を提供するための、少なくとも１つの、好ましくは複数の転送機構９３を備える。テープ・カートリッジ１０およびデータ記憶カートリッジ４０はどちらもストレージ・シェルフ９５内に保管される。様々なカートリッジを、隔離した方法で保管でき、またはストレージ・シェルフ９５を介して無作為に保管することができる。通常の自動データ記憶ライブラリも、１つまたは複数の入出力端末９７を備えており、そこでカートリッジが受けられまたは送達される。把持部９９を備えたロボット・アクセサ９８は、ストレージ・シェルフ９５、入出力端末９７、転送機構９３、またはデータ記憶ドライブ９２あるいはそれら全部の中で選択したカートリッジ１０または４０を把持し、輸送する。自動データ記憶ライブラリ・ロボット・アクセサは、媒体センサ９６も備えている。媒体センサ９６は、バー・コード・スキャナなどラベル読取り器、またはスマート・カードあるいはＲＦ（ラジオ周波数）など読取りシステム、またはボリューム通し番号またはＶＯＬＳＥＲなどによって、カートリッジを識別することができる他の同様のタイプのシステムを備えることができる。一例として、ＶＯＬＳＥＲは、バー・コード読取り器で読取るべきカートリッジ上に置かれたラベルを備えることができる。他の例では、ＶＯＬＳＥＲは、ＲＦ受信器で読取られるカートリッジ内のＲＦチップ内に記憶することができる。
【００４３】
図１２〜２４は、転送機構１００および様々な構成要素の一実施形態を示す。この転送機構は、独立型ベースで使用することができ、または図１１の自動データ記憶ライブラリ９０の転送機構９３を備えることができる。
【００４４】
図１２〜１６を参照すると、一態様では、転送機構１００は、図３の携帯用データ記憶カートリッジ４０に対してデータ転送を提供するように構成され、通常、携帯用データ記憶カートリッジは、リーダ・ブロックを有する図１のテープ・カートリッジ１０の外側寸法フォームファクタを有する。上記で論じたように、このリーダ・ブロックは、穴１９を有し、それを介してスレッド・ピンと係合する。また上記で論じたように、携帯用データ記憶カートリッジ４０は、不透明のカートリッジ・シェル４１の遮断部４２など、遮断部を備えている。
【００４５】
転送機構１００は、携帯用データ記憶カートリッジを受けるための受け部１０３を備える。カートリッジは、手から受け取られ、または図１１の自動データ記憶ライブラリ９０のロボット・アクセサから受け取られ、あるいは当業者には周知の自動カートリッジ・ローダ（ＡＣＬ）から受け取られることができる。
【００４６】
光源１０５および１０６は、転送機構の頂部プレート１０９の開口１０７および１０８に取り付けられている。センサ１１５および１１６は、それぞれ光源１０５および１０６を感知するためにプリント回路板（ＰＣＢ）１１８上に取り付けられている。光源１０５および１０６は、好ましくは、ＬＥＤ光源など赤外線源を備え、それを集束し、それぞれ、好ましくは赤外線光センサを備えたセンサ１１５および１１６に向けて集束ビームを提供する。
【００４７】
光源１０５および対応するセンサ１１５は、その中にカートリッジを挿入する転送機構の受け入れスロット１２０に近くに配設されている。したがって、カートリッジがテープ・カートリッジ１０であってもデータ記憶カートリッジ４０であっても、カートリッジはビームを遮って、センサ１１５は、カートリッジが受け部１０３内に挿入されていることを検出する。ストップ１２１および１２２は、受け部１０３の移動の終端部に設けられ、カートリッジが転送機構内に完全に受け入れられる点を備える。
【００４８】
光源１０６は、カートリッジが受け部内の移動の終端部にある場合、テープ・カートリッジ１０のリーダ・ブロック穴１９の位置、および携帯用データ記憶カートリッジ４０の遮断部４２の位置でそれに向けて配置される。対応するセンサ１１６は、光源１１６からカートリッジの反対側にあるリーダ・ブロック穴および遮断部の位置に配設されている。センサ１１６はセンサ１１５によって使用可能になり、カートリッジ・シェル遮断部による光源１０６の遮断を感知し、それによってデータ記憶カートリッジの差異化した識別を識別し、携帯用データ記憶カートリッジ４０が、受け部１０３内の移動の終端部に存在していることを示す。したがって、センサ１１６は、転送機構が携帯用データ記憶カートリッジ４０を搭載できるようにする。センサ１１６が引き続き光源１０６からのビームを検出する場合など、ビームが遮断されない場合は、カートリッジが受け部１０３内に完全に挿入されていないか、またはカートリッジがテープ・カートリッジ１０の場合であって、ビームはリーダ・ブロック穴１９を介して受け取られる。この状態では、エラーがあり、転送機構は続けて作動しない。
【００４９】
当業者には理解されるように、光源１０５、１０６の１つまたは両方、および対応するセンサ１１５、１１６を入れ替えて、光源をＰＣＢ１１８上に配置し、センサを頂部プレート１０９上に配置することができる。また当業者には理解されるように、ＰＣＢの中間および頂部プレート上の代替位置を、光源およびセンサを搭載するために用いることもできる。
【００５０】
図１２および１７〜１９を参照すると、他の態様では、転送機構１００のデータ転送インターフェース電気コネクタ１３０が示されており、図３〜１０の携帯用データ記憶カートリッジ４０の外部データ転送インターフェース電気コネクタ４８と対合している。転送機構１００は、実質的に平らな対向面５０上の複数の実質的に平らな電気接点５１を有する基板７１を備えた、カートリッジの外部データ転送インターフェースに対して電気的結合を解放可能、繰返し可能に提供し、基板はローダによって係合することができる携帯用カートリッジ４０内に取り付けられている。
【００５１】
電気コネクタ１３０は、基準プレート１３４で支持された複数の突出圧縮部材１３３を有する弾性圧縮要素１３２を備えている。圧縮要素は、基準プレート１３４に固定されることが好ましい。例として、圧縮要素を基準プレートに、セメント接合、接着、または加硫することができる。圧縮要素は、対合する回路の柔軟な基板１３６の後面１３５に配置され、基板１３６は好ましくは、フレックス・ケーブル１３８の終端部を備える。対合する回路の柔軟な基板１３６は、その対向面１４０上に電気接触部１４１を有し、電気接触部１４１は、対面関係にある場合は、携帯用カートリッジの電気接点５１と対合するように配置されている。圧縮要素１３２の突出圧縮部材１３３は、後面１３５に対向して接触し、個々の圧縮部材１３３が対応する個々の電気接触部１４１と位置合せされるようにする。
【００５２】
圧縮要素１３２は、通常、米国特許第４，９０２，２３４号、第５，０５９，１２９号、第５，８７３，７４０号、または第５，９４７，７５０号に記載されたタイプのものである。
【００５３】
フレックス・ケーブル１３８の対合する回路の柔軟基板１３６の少なくとも１つの電気接触部１４１、および図６のフレックス・ケーブル６５の実質的に平らな基板の対向面５０の電気接点５１の対応するものは、細長い接触部を備え、電気接触部１４１は、それぞれ弾性圧縮要素１３２の２つの隣接する個々の圧縮部材１３３と位置合せされている。こうすると、細長い接触部は、２つの圧縮部材による冗長接触部を備え、単一圧縮部材のサイズの単一接触部の少なくとも２倍の表面積の対合接触面を有する。
【００５４】
したがって、電気コネクタ１３０内では、回路の柔軟基板１３６は弾性圧縮要素１３２上に配置されて、基板の後面が、圧縮部材１３３と接触し、基板の対向面１４０上の細長い接触部１４１は、２つの隣接した個々の圧縮部材１３３と位置合せされる。さらに、電気コネクタ４８内で、基板７１が対合電気コネクタ１３０の対向面１４０と対向する関係で位置合せされた場合、細長い接触部５１は、それぞれ２つの隣接した個々の圧縮部材１３３の上に重ねて配置され、細長い電気接点５１は対応する細長い接触部１４１と解放可能に接触する。
【００５５】
図６のフレックス・ケーブル６５の電気接点５１に関しては、実質的に平らな基板の対向面１４０の電気接触部１４１は、金を含んだパッド、好ましくは銅のパッドを備え、そのパッド上にニッケルなど拡散隔膜をメッキし、その拡散隔膜上にメッキしているが、それは標準よりも厚く、たとえば実質的に厚さ１００マイクロインチ（２．５４μｍ）にメッキしたＴｙｐｅＩＩ、または「剛性の」金パッドを備える。この拡散隔膜を、好ましくは、厚さ５０マイクロインチ（１．３μｍ）より厚くメッキする。好ましくは、金パッドは電解メッキされる。
【００５６】
電気接触部１４１は、代替として、パラジウムまたはパラジウムニッケルなど、パラジウムを含むパッドなど、他の材料も含むことができ、金の「フラッシュ」層を有することができる。
【００５７】
電気接触部１４１は好ましくは、実質的に平らで、パッド上の実質的に平らな接触面を有する。あるいは、電気接触部１４１は、上記に記載したように、パッド上の形付けした表面を有する形状接触部を備えることができる。
【００５８】
フレックス・ケーブル１３８は、終端部１３６にある対向面１４０の電気接触部１４１に結合された複数のランドを備え、図１６のＰＣＢ１１８にフレックス・ケーブルの終端部１４６にあるコネクタ１４５で結合されている。
【００５９】
他の態様では、位置合せまたは位置決め穴１５５および１５６が電気接触部１４１に非常に近接して設けられている。組み立てる場合は、プローブを使用して終端部１３６の穴１５７および１５８を介してそれぞれ穴１５５および１５６内に挿入することによって、圧縮部材１３３に対して、フレックス・ケーブル終端部１３６が位置合せされ、電気接触部１４１が位置合せされ、フレックス・ケーブル終端部は、圧縮部材で所定の程度に締付けられる。以下に論じるように、対合する回路の柔軟基板１３６は、位置合せを達成するために十分なだけ締付けられ、すぐに方向を変更せずに弾性圧縮要素１３２から出て、その後、対向面１４０に対して垂直方向になるゆるやかな湾曲部１６０および１６１を形成する。次いで、固定部１６２および１６３は、回路の柔軟基板を定位置に保持する位置にボルト締めされる。図で示した例では、固定部１６２は、テール１６４でフレックス・ケーブルを保持し、固定部１６３は、フレックス・ケーブル１３８を保持する。後で論じるように、携帯用データ記憶カートリッジの外部インターフェースを対合する回路の柔軟基板の電気接触部１４１と位置合せした場合、ローダは、対合する回路の柔軟基板１３６と基準プレート１３４の間の弾性圧縮要素１３２を圧縮する、対向面１４０に対して垂直に携帯用カートリッジ上に力を加える。対合する回路の柔軟基板１３６が、弾性圧縮要素１３２から出て、すぐに方向を変えずに、その後、対向面１４０に垂直方向にゆるやかな湾曲部１６０および１６１を形成する構成は、基板が横方向に引っ張られずに垂直方向に自由に移動できるようにする。これによって、図３の携帯用カートリッジ基板５０の電気接点５１と対合する回路の柔軟基板１３６の電気接触部１４１の間の非ワイピング接触がもたらされ、それによって、その間に解放可能かつ繰返し可能な電気接触が形成される。
【００６０】
さらに図２２を参照すると、他の態様では、転送機構１００はさらに、それぞれ図３の携帯用データ記憶カートリッジ４０の位置決め穴５５および５６に対して対合するための位置合せピン１６５および１６６を備えて、外部データ転送インターフェース電気コネクタ４８を端末データ転送インターフェース電気コネクタ１３０と位置合せする。両方の位置合せピンは、対合する回路の柔軟基板１３６の対向面１４０に実質的に垂直に位置合せされ、それぞれ端部１６７および１６８で携帯用カートリッジ基板５０の方向にある丸みを付けた点まで先細りになって、携帯用カートリッジ基板を方向付け、携帯用カートリッジ基板と対合する回路の柔軟基板１３６をゆるやかに横方向に位置合せする。位置合せピンとそれぞれの位置決め穴の間の許容差の拡大を防ぐために、位置合せピン１６５は好ましくは円筒形であり、対応する位置決め穴５５も同様であり、直径がわずかに小さい。一例として、位置合せピンの直径は、位置決め穴の直径よりも５％小さくてもよい。しかし、位置合せピン１６６を、当業者には周知であるように、「ダイヤモンド形」ピンなど、非円形のピンに代え、ピン１６５よりも実質的に細いが同じ高さにすることもできる。したがって、携帯用データ記憶カートリッジ４０の外部インターフェース電気コネクタ４８は、両端部で位置合せピンによって垂直方向に適切に位置決めされ、位置合せピン１６５によって水平方向に適切に位置合せされる。
【００６１】
図１９および２４を参照すると、他の態様では、対合する回路の柔軟基板の対向面１４０は、重力に水平に方向付けられ、カートリッジ・ローダは、重力に直交する「垂直の」力を提供するように方向付けられて、対向面１４０上へのごみの沈着を最小限にする。
【００６２】
さらに図２０を参照すると、他の態様では、転送機構と位置合せし整列した場合、図９および１０の携帯用データ記憶カートリッジ４０の背板７０は、位置決め穴５５または５６あるいはその両方で位置合せピン１６５および１６６と接触する。上記に論じたように、背板７０、したがって位置決め穴５５および５６は、磁気データ記憶装置６０などデータ記憶装置に、フレックス・ケーブルのランド８５によって電気的に結合され、接地され、したがってデータ記憶装置から背板まで、かつ半導体材料を電気的に介して位置合せピンまでの静電放電経路が形成される。データ記憶装置は、携帯用データ記憶カートリッジ内にあるため、外部的に接地されず、それ自体でカートリッジ内に静電源を備えるようになっている。位置合せピン１６５および１６６は、導電性であり、支持部材１７０を介して接地経路１６９に結合され、それによって携帯用データ記憶カートリッジ４０の位置決め穴５５および５６から接地経路１６９までの静電放電経路が形成される。
【００６３】
図１３および２１〜２４を参照すると、転送機構１００のローダが示されており、図１９のフレックス・ケーブル１３８の対向面１４０に垂直に力を与える携帯用データ記憶カートリッジを装填している。図２１および２２は、ストップ（ストップ１２２だけを示す）にある、受け部１０３内の移動の終端部にあるカートリッジ４０を示し、カートリッジは装填される前である。図１３、２３、および２４は、装填されたカートリッジを示す。図２４は、ＰＣＢ１１８に対して転送機構１００の機構を覆いかつその外部のループとして構成され、それによってアセンブリおよびＰＣＢとフレックス・ケーブル両方の取替えを容易にする、フレックス・ケーブル１３８も示す。
【００６４】
装填機構は、始めは、「挿入」位置にあり、モータ１８０は、歯車列１８１を介して作動し、ベル・クランク１８２を転送機構１００の前に向けて回転させている状態である。したがって、ベル・クランク１８２は、ビーム１８４を転送機構の前に向けて押出し、転送機構は、受け部１０３のアーム１８５を、したがって受け部１０３を転送機構の開口１２０の前に向けて押出す。アーム１８５の案内部１８６および１８７は、転送機構のスロット１８８および１８９内に乗り、前後に移動するときに受け部１０３を可動に支持する。係合アーム１９０は、枢軸１９１で受け部１０３に取り付けられ、転送機構のスロット１９５内で移動する案内部１９２を含んでいる。当業者には理解されるように、案内部、アーム、ビーム、およびスロットは、受け部１０３の両側で同様になっている。当業者には理解されるように、また、案内部、アーム、ビーム、およびスロットの異なる構成も本発明と共に使用することができる。
【００６５】
受け部１０３が、転送機構の前部開口１２０に向けられた「挿入」位置にある場合は、スロット１９５は案内部１９２を受け部１０３から下方に離して引っ張る。係合ピン２００は、案内部１９２と同じ軸上に配置され、係合アーム１９０の反対側で、受け部１０３の内部に向けて突出している。したがって、案内部１９２は、スロット１９５によって下方に引っ張られ、係合ピン２００も受け部１０３の内部の外に下方に引っ張られる。これによって、携帯用データ記憶カートリッジを受け部内に挿入できるようになる。
【００６６】
ローダは、図１６のセンサ１１６によって使用可能となり、センサ１１６は、上記に記載したように、携帯用データ記憶カートリッジ４０が受け部１０３内の移動の終端部に存在することを示して、データ記憶カートリッジの差異化した識別を識別する。
【００６７】
センサ１１６は、モータ１８０が歯車列１８１を介して作動し、ベル・クランク１８２を前部から離して転送機構１００の後部に向けて回転できるようにする。したがって、ベル・クランク１８２は、ビーム１８４を転送機構の後部に向けて引張り、転送機構は、受け部１０３のアーム１８５を、したがって受け部１０３を転送機構の後部に向けて引っ張る。受け部１０３が転送機構の後部に向けて引っ張られるときに、スロット１９５は案内部１９２を受け部１０３に向けて上に持ち上げて、係合ピン２００が受け部１０３内に持ち上げられるようにし、係合ピン２００は、図３の携帯用カートリッジ４０と切欠き部５８および５９で係合する。受け部は転送機構の後部に向けて連続して引っ張られるため、係合ピン２００は、対合する回路の柔軟基板１３６の対向面１４０に垂直に携帯用カートリッジ４０上に力を加える。先ず、位置合せピン１６５および１６６が、カートリッジの対応する穴５５および５６と係合して、携帯用カートリッジの基板を方向付けし、携帯用カートリッジの基板および対合する回路の柔軟基板１３６を徐々に横方向に位置合せし、カートリッジ基板の電気接点５１を対合する回路の柔軟基板の電気接触部１４１に対して対向する関係で位置合せする。次いで、係合ピンが、携帯用カートリッジに垂直の力を加え、携帯用カートリッジ基板５０（および背板７０）が対合する回路の柔軟基板１３６と基準プレート１３４の間で弾性圧縮要素１３２を圧縮して、携帯用カートリッジ基板５０の電気接点５１と対合する回路の柔軟基板１３６の電気接触部１４１との間に非ワイピング接触をもたらし、それによって、その間に開放可能かつ繰返し可能な電気接続を形成する。
【００６８】
一例として、ローダによって生じた力は、少なくとも一圧縮部材につき３０グラムであり、カートリッジに加えられる垂直の力の合計は１０ポンド（４５４０グラム）より大きく、圧縮要素を深さ約０．０２２インチ（０．０５６ｃｍ）まで圧縮する。カートリッジを装填する際に、モータ１８０は、ベル・クランク１８２を、オーバセンター位置にある回転の中心を越えたストップまで回転させて、アームを定位置に係止し、カートリッジが不慮に解放されるのを阻止するようにする。モータは、カートリッジを中心を越えて回転して戻し、次いで、転送機構の開口１２０の前に向けて回転させることによって、開放する。図１９および２０を参照すると、一実施形態では、ベル・クランク１８２は、ストップ１９３の中心を越えて回転される。代替実施形態では、ビーム１８４がベル・クランク１８２の枢軸端部と接触するまで、ベル・クランク１８２を回転させて、ビーム１８４がストップに至るようになっている。ベル・クランク１８２は、ストップに押し付けられた場合、圧力で係止され、垂直の力を加えて、圧縮要素１３２を圧縮する。
【００６９】
図１７および２２を参照すると、リブ２０２および２０３が、圧縮要素１３２の縁部に設けられて、図１８のフレックス・ケーブルの基板１３６を軽く締付け、個々の圧縮部材がインターフェースの接触部１４１の下で圧縮されたときに、フレックス・ケーブル基板の横方向の動きを全て制限する助けをする。
【００７０】
表面１７１および１７２は、フレックス・ケーブル基板１３６にまたがり、図９のカートリッジの「Ｈ型」ビーム７０、または図３のカートリッジのインターフェース４８に衝合し、図１３のモータ１８０がアーム１８２を負荷された位置に回転させるため、圧縮部材の圧縮が制限される。
【００７１】
さらに図２５を参照すると、他の態様では、携帯用データ記憶カートリッジ４０の外部データ転送インターフェース４８は、磁気データ記憶ドライブ６０など、データ処理エージェントまたはデータ記憶装置と結合されて、データ転送を接触した転送機構１００に提供する他に、フレックス・ケーブルの１つまたは複数のランド２０９によって、データ処理エージェントの電力入力２１０に結合された送電インターフェースを備えて、電力を、転送機構１００からデータ処理エージェントに送る。
【００７２】
さらなる態様では、送電インターフェースはさらに、全出力を供給する前に、データ処理エージェントと転送機構の間の電気的接触を確認し、電力を供給する場合は、電力の供給を徐々に増加する。
【００７３】
具体的には、転送機構の電力供給は、カートリッジ４０に対し、入力２２０で電力を供給する。弱電回路２２２は、先ず、転送機構１００の接触部１４１とカートリッジ４０の接点５１に間で電気的接触があった場合、出力２１５への、次いでデータ処理エージェントへの電流の流れを制限する。接触がなされる前は電流が流れず、出力２１５は、入力２２０と同じ電圧であり、その電圧は検出器２２８によって検出される。接触がなされるとすぐに、小さい電流がデータ処理エージェントに流れ、弱電回路２２２によって制限を受けている接地部２２１に戻り、出力２１５で電圧を下げ、それを検出器２２８が検出する。したがって、検出器２２８は、カートリッジ４０への電流の流れを検出し、したがってデータ処理エージェントと転送機構の間の電気的接触を確認する。
【００７４】
電気的接触が確認された後、検出器２２８は、ランプ回路２３０が最初にゲート２３３を操作して少量の電力を出力２１５に導き、次いでゲート２３３に対して徐々に出力を増大して、全出力になるまで増大できるようにする。出力が増大すると、出力２１５の電圧が上がり、それを検出器２２８が検出できるようになる。したがって、任意選択で検出器２２８を用いて、全出力供給中に出力２１５での電圧の変化を根拠とする問題を全て検出し、ランプ回路２３０を作動してゲート２３３を開けることができる。ゲート２３３の例は、ＦＥＴである。検出器１２８も、電気接触がなされない場合、「対合していない」またはカートリッジ４０が開放されていることを検出し、ランプ回路２３０を作動してゲート２３３を開ける。ヒュージング回路２３４を用いて、過大な電力がカートリッジ４０に送電されないように制限する。電気接触の確認および出力のゆるやかな増大により、稼動中のデータ処理要素またはカートリッジ４０内のデータ記憶装置が、さもなければデバイスに損傷を与える可能性がある電気スパイクから保護されることが保証される。
【００７５】
図２６および２７は、代替のデータ処理またはデータ記憶装置を備えた携帯用データ・ストレージ・カートリッジを示す。図２６は、不揮発性ソリッドステート記憶装置アセンブリ２４０を備えた、図３の携帯用データ記憶カートリッジ４０を示す。ソリッドステート記憶装置アセンブリは、有利には、簡単に入手できるものなど、「規格品」のデバイスからなる。図２７は、光ディスク・ドライブ・アセンブリ２５０を備えている、図３の携帯用データ記憶カートリッジを示す。現在、市販されている光ディスク・ドライブは、取外し不可能な光ディスクを用いるように変更しなければならない。当業者には他のデータ処理デバイスも考えられるであろう。
【００７６】
本発明の好ましい実施形態を詳細に示してきたが、頭記の特許請求項で述べたように、本発明の範囲から逸脱することなく、こうした実施形態に変更および修正を加えることができることは当業者には明らかである。
【図面の簡単な説明】
【００７７】
【図１】従来技術の磁気テープ・カートリッジおよび従来技術のリーダ・ブロック・スレッド・ピンとインタロックしたリーダ・ブロックを示す等角図である。
【図２】従来技術のリーダ・ブロック・スレッド・ピンを用いた従来技術の磁気テープ・ドライブを示す図である。
【図３】本発明によるデータ記憶装置を備えた携帯用データ記憶カートリッジを示す等角図である。
【図４】ケース入り磁気データ記憶ドライブを備えた、図３の携帯用データ記憶カートリッジの一例を示す分解図である。
【図５】図４の携帯用データ記憶カートリッジを示す平面図である。
【図６】図４の携帯用データ記憶カートリッジのフレックス・ケーブルを示す平面図である。
【図７】図４の携帯用データ記憶カートリッジの背板を示す上面図である。
【図８】図４の携帯用データ記憶カートリッジの背板を示す断面図である。
【図９】図７および８の背板を備えた、図４のカートリッジ・シェルの底部半分を示す等角図である。
【図１０】図６のフレックス・ケーブルを示す、図４の携帯用データ記憶カートリッジを示す部分切欠き等角図である。
【図１１】図１のテープ・カートリッジおよび図３の携帯用データ記憶カートリッジに関して、保管、輸送、かつデータ転送を提供するための自動データ記憶ライブラリを示す等角図である。
【図１２】図３の携帯用データ記憶カートリッジに対してデータ転送を提供し、図３の携帯用データ記憶カートリッジを図１のテープ・カートリッジから差異化するための転送機構を示す等角図である。
【図１３】図３の携帯用データ記憶カートリッジを搭載した、図１２の転送機構を示す代替等角図である。
【図１４】それぞれ図３の携帯用データ記憶カートリッジおよび図１のテープ・カートリッジを検出するための、図１３の転送機構の上板上に取り付けられた光源を示す上面図である。
【図１５】それぞれ図３の携帯用データ記憶カートリッジおよび図１のテープ・カートリッジを検出するための、図１３の転送機構の上板上に取り付けられた光源を示す上面図である。
【図１６】図１４および１５の光源を感知するためのＰＣＢ実装センサの一例を示す平面図である。
【図１７】図１２の転送機構の圧縮部材、基準プレート（reference plate）、支持部材、および固定部を示す等角図である。
【図１８】図１２の転送機構のフレックス・ケーブルを示す平面図である。
【図１９】図１８のフレックス・ケーブルを備えた、図１７の圧縮部材、基準プレート、支持部材、および固定部を示す断面図である。
【図２０】図１２の転送機構および図３の携帯用データ記憶カートリッジの静電放電（ＥＳＤ）経路を示す回路図である。
【図２１】装填されていない位置の装填機構を示す図１２の転送機構を示す切断側面図である。
【図２２】装填されていない位置の装填機構を備えた図１２の転送機構および図３の携帯用データ記憶カートリッジを示す切欠き図である。
【図２３】装填された位置の装填機構を示す図１２の転送機構を示す切断側面図である。
【図２４】装填された位置の装填機構を示す、図１２の転送機構および図３の携帯用データ記憶カートリッジを示す切欠き図である。
【図２５】図１２の転送機構および図３の携帯用データ記憶カートリッジの送電インターフェースを示す回路図である。
【図２６】非揮発性ソリッドステート記憶装置アセンブリを備えた、図３の携帯用データ記憶カートリッジを示す図である。
【図２７】光ディスク・ドライブ・アセンブリを備えた、図３の携帯用データ記憶カートリッジを示す図である。
【図１】
2004525475.tif 000003
【図２】
2004525475.tif 000004
【図３】
2004525475.tif 000005
【図４】
2004525475.tif 000006
【図５】
2004525475.tif 000007
【図６】
2004525475.tif 000008
【図７】
2004525475.tif 000009
【図８】
2004525475.tif 000010
【図９】
2004525475.tif 000011
【図１０】
2004525475.tif 000012
【図１１】
2004525475.tif 000013
【図１２】
2004525475.tif 000014
【図１３】
2004525475.tif 000015
【図１４】
2004525475.tif 000016
【図１５】
2004525475.tif 000017
【図１６】
2004525475.tif 000018
【図１７】
2004525475.tif 000019
【図１８】
2004525475.tif 000020
【図１９】
2004525475.tif 000021
【図２０】
2004525475.tif 000022
【図２１】
2004525475.tif 000023
【図２２】
2004525475.tif 000024
【図２３】
2004525475.tif 000025
【図２４】
2004525475.tif 000026
【図２５】
2004525475.tif 000027
【図２６】
2004525475.tif 000028
【図２７】
2004525475.tif 000029
【国際公開パンフレット】
2004525475.tif 000030
2004525475.tif 000031
2004525475.tif 000032
2004525475.tif 000033
2004525475.tif 000034
2004525475.tif 000035
2004525475.tif 000036
2004525475.tif 000037
2004525475.tif 000038
2004525475.tif 000039
2004525475.tif 000040
2004525475.tif 000041
2004525475.tif 000042
2004525475.tif 000043
2004525475.tif 000044
2004525475.tif 000045
2004525475.tif 000046
2004525475.tif 000047
2004525475.tif 000048
2004525475.tif 000049
2004525475.tif 000050
2004525475.tif 000051
2004525475.tif 000052
2004525475.tif 000053
2004525475.tif 000054
2004525475.tif 000055
2004525475.tif 000056
2004525475.tif 000057
2004525475.tif 000058
2004525475.tif 000059
2004525475.tif 000060
2004525475.tif 000061
2004525475.tif 000062
2004525475.tif 000063
2004525475.tif 000064
2004525475.tif 000065
2004525475.tif 000066
2004525475.tif 000067
2004525475.tif 000068
2004525475.tif 000069
2004525475.tif 000070
2004525475.tif 000071
2004525475.tif 000072
【手続補正書】
【提出日】平成15年2月19日(2003.2.19)
【手続補正１】
【補正対象書類名】特許請求の範囲
【補正対象項目名】全文
【補正方法】変更
【補正の内容】
【特許請求の範囲】
【請求項１】
概ねリーダ・ブロックを有するテープ・カートリッジの外側寸法フォームファクタのデータ記憶カートリッジ（４０）であって、前記リーダ・ブロックがスレッド・ピンによる係合のための穴を備えており、
データ記憶装置（６０、２５０、２４０）と、
前記リーダ・ブロックを有する前記テープ・カートリッジと実質的に同一の外側寸法フォームファクタを備え、前記リーダ・ブロック穴の前記位置の少なくとも一側部にある遮断部（４２）を備えて、前記データ記憶カートリッジの識別を前記テープ・カートリッジから差異化し、前記カートリッジ・シェルが前記データ記憶装置をその中に搭載する、カートリッジ・シェル（４１）と、
前記データ記憶装置を前記カートリッジ・シェル内で支持し取り付け、前記データ記憶装置を前記カートリッジ・シェルから機械的に絶縁するショックマウント（６２）とを備える、データ記憶カートリッジ。
【請求項２】
転送機構が、光源（１０５、１０６）、および前記リーダ・ブロック穴の位置でカートリッジが前記転送機構の受け部内の移動の終端部にある場合に感知するためのセンサ（１１５、１１６）を備えており、前記カートリッジ・シェル遮断部が、前記データ記憶カートリッジが前記受け部内の移動の終端部にある場合に、前記光源を前記センサから遮断し、それによって前記データ記憶カートリッジが前記受け部内の移動の終端部に存在することを示し、前記データ記憶カートリッジの前記差異化した識別を提供するように構成されている、転送機構（１００）と共に使用するための、請求項１に記載のデータ記憶カートリッジ。
【請求項３】
前記遮断部を前記リーダ・ブロック穴の前記位置の側部に追加して配置し、そこで前記スレッド・ピンが前記テープ・カートリッジの係合を開始し、それによって前記データ記憶カートリッジの係合を阻止し、前記データ記憶カートリッジの前記差異化した識別を提供する、請求項１または２に記載のデータ記憶カートリッジ。
【請求項４】
前記転送機構に対してデータ転送を提供するための前記データ記憶装置に結合された外部データ転送インターフェース（４８）をさらに備える、請求項１または２に記載のデータ記憶カートリッジ。
【請求項５】
前記データ記憶装置と前記外部データ転送インターフェースを相互接続するフレックス・ケーブルをさらに備える、請求項４に記載のデータ記憶カートリッジ。
【請求項６】
位置合せピンを受けるための、前記外部データ転送インターフェースに位置決め穴をさらに備えて、前記外部データ転送インターフェースを前記転送機構に対して位置決めし、前記位置決め穴が、電気抵抗を有するプラスチック材料内に形成され、前記材料が前記データ記憶装置にその接地部で電気的に結合され、それによって前記材料を介して前記位置合せピンまでの静電放電経路が形成される、請求項４に記載のデータ記憶カートリッジ。
【請求項７】
前記外部データ転送インターフェースが、電力を前記転送機構から前記データ記憶装置に送るための、前記データ記憶装置に結合された送電インターフェースをさらに備え、前記送電インターフェースが前記フレックス・ケーブルを介して前記データ記憶装置に結合されている、請求項４に記載のデータ記憶カートリッジ。
【請求項８】
前記データ記憶装置が
磁気ディスク・ドライブ・アセンブリ（６０）、
光ディスク・ドライブ・アセンブリ（２５０）、
不揮発性ソリッドステート記憶装置アセンブリ（２４０）、および
その組み合わせを含むグループから選択される、請求項１に記載のデータ記憶カートリッジ。
【請求項９】
携帯用データ記憶カートリッジに対してデータ転送を提供するための転送機構（１００）であって、前記データ記憶カートリッジが、概ねリーダ・ブロックを有するテープ・カートリッジの外側寸法フォームファクタを有し、前記リーダ・ブロックがそれを介してスレッド・ピンと係合するための穴を備えており、
前記携帯用データ記憶カートリッジを受けるための受け部と、
カートリッジが前記受け部内の移動の終端部にある場合の、前記リーダ・ブロック穴の前記位置に向けられた光源と、
カートリッジ・シェル遮断部による前記光源の遮断を感知し、それによって前記データ記憶カートリッジの前記差異化された識別を識別し、前記データ記憶カートリッジが前記受け部内の移動の終端部に存在することを示すための、前記光源から前記カートリッジの反対側にある前記リーダ・ブロック穴の位置に配置されたセンサとを備える、転送機構。
【請求項１０】
前記光源が、
赤外線源、
ＬＥＤ光源、
前記センサに向けて集束ビームを提供する集束源、および
その組み合わせを含むグループから選択される、請求項９に記載の転送機構。
【請求項１１】
前記データ記憶カートリッジの外部データ転送インターフェースと対合する端末データ転送インターフェースと、
前記データ記憶カートリッジを、前記受け部の前記移動の終端部から、前記外部データ転送インターフェースが前記端末データ転送インターフェースと対合する位置に位置付けするための装填装置と、
前記データ記憶カートリッジの位置決め穴と対合して、前記外部データ転送インターフェースを前記端末データ転送インターフェースに位置合せする位置合せピンとをさらに備え、
前記データ記憶カートリッジの前記位置決め穴が、その中の静電源に電気的に結合され、前記位置合せピンが導電性であり接地経路に結合され、それによって前記データ記憶カートリッジの前記位置決め穴から前記接地経路までの静電放電経路が形成される、請求項１３に記載の転送機構。
【請求項１２】
前記データ記憶カートリッジの前記外部データ転送インターフェースが、送電インターフェースをさらに備え、前記端末データ転送インターフェースが、
電力を前記転送機構から前記データ記憶カートリッジの前記送電インターフェースに送るための端末送電インターフェースと、
前記データ記憶カートリッジと前記端末送電インターフェースとの間の電気的接触を確認するため、前記カートリッジ送電インターフェースへの電流に対応する電気的接触確認検出器と、
ランプ回路とを備えており、
前記電気的接触確認検出器による前記電気的接触の前記確認に対応し、それに応じて、前記データ記憶カートリッジの前記送電インターフェースへの電力の供給をゆるやかに増加する、請求項１１に記載の転送機構。
【請求項１３】
いくつかの携帯用データ記憶カートリッジの一部がデータ記憶媒体を含むデータ記憶媒体カートリッジを備え、いくつかの前記カートリッジが磁気ディスク・ドライブを含む磁気ディスク・ドライブ・カートリッジを備えている、携帯用データ記憶カートリッジを保管するための複数のストレージ・シェルフと、
前記データ記憶媒体カートリッジの前記データ記憶媒体上での読取りまたは書取りあるいはその両方のための少なくとも１つのデータ記憶ドライブと、
前記磁気ディスク・ドライブ・カートリッジに対してデータ転送を提供するための少なくとも１つの転送機構と、
前記ストレージ・シェルフ、前記少なくとも１つのデータ記憶ドライブ、および前記少なくとも１つの転送機構の中で前記携帯用データ記憶カートリッジを把持し輸送するための少なくとも１つのロボット・アクセサとを備えている、自動データ記憶ライブラリ（９０）。
【請求項１４】
前記データ記憶媒体カートリッジおよび前記磁気ディスク・ドライブ・カートリッジが、実質的に同一の外側寸法フォームファクタを備え、前記少なくとも１つのロボット・アクセサが、前記データ記憶媒体カートリッジおよび前記磁気ディスク・ドライブ・カートリッジを同様に把持するための把持部を備えている、請求項１３に記載の自動データ記憶ライブラリ。
【請求項１５】
前記転送機構がさらに、
前記磁気ディスク・ドライブ・カートリッジの外部データ転送インターフェースと対合するための端末データ転送インターフェースと、
前記磁気ディスク・ドライブ・カートリッジを、前記外部データ転送インターフェースと前記端末データ転送インターフェースが対合する位置に位置付けるための装填装置とを備える、請求項１３に記載の自動データ記憶ライブラリ。
【請求項１６】
前記転送機構が、前記磁気ディスク・ドライブ・カートリッジの位置決め穴と対合するための位置合せピンをさらに備えて、前記外部データ転送インターフェースを前記端末データ転送インターフェースと位置合せし、
前記磁気ディスク・ドライブ・カートリッジの前記位置決め穴が、その静電源に電気的に結合され、前記転送機構の位置合せピンが導電性であり、接地経路に結合され、それによって前記磁気ディスク・ドライブ・カートリッジの前記位置決め穴から前記接地経路までの静電放電経路が形成される、請求項１５に記載の自動データ記憶ライブラリ。
【請求項１７】
前記磁気ディスク・ドライブ・カートリッジの前記外部データ転送インターフェースが、送電インターフェースをさらに備え、前記端末データ転送インターフェースが、
電力を、前記転送機構から前記磁気ディスク・ドライブ・カートリッジの前記送電インターフェースに送るための端末送電インターフェースと、
前記磁気ディスク・ドライブ・カートリッジと前記端末送電インターフェースとの間の電気的接触を確認するための、前記カートリッジ送電インターフェースへの電流に対応する電気的接触確認検出器とをさらに備え、
前記端末送電インターフェースが、ランプ回路をさらに備え、前記電気的接触確認検出器による前記電気的接触の前記確認に対応し、それに応じて、前記磁気ディスク・ドライブ・カートリッジの前記送電インターフェースへの電力の供給をゆるやかに増加する、請求項１５に記載の自動データ記憶ライブラリ。
【請求項１８】
カートリッジ・シェルと、
後部を有するケース入り独立型磁気ディスク・ドライブ・アセンブリと、
前記カートリッジ・シェルに搭載された、転送機構に対してデータ転送を提供するための外部データ転送インターフェースと、
前記後部が、前記外部データ転送インターフェースの反対側にあるように、前記ケース入り磁気ディスク・ドライブ・アセンブリが配置されている、前記ケース入り磁気ディスク・ドライブ・アセンブリを前記カートリッジ・シェル内で支持しそれに取り付けるショックマウントと、
前記ケース入り磁気ディスク・ドライブ・アセンブリの前記後部を前記外部データ転送インターフェースと相互接続するフレックス・ケーブルとを備え、前記ショックマウントおよび前記フレックス・ケーブルが、前記ケース入り磁気ディスク・ドライブ・アセンブリを前記カートリッジ・シェルから機械的に絶縁する、携帯用磁気ディスク・ドライブ・カートリッジ。
【請求項１９】
携帯用データ記憶媒体カートリッジをストレージ・シェルフ内に保管し、前記携帯用データ記憶カートリッジを把持し輸送するための少なくとも１つのロボット・アクセサを有することができる自動データ記憶ライブラリと共に使用するための携帯用磁気ディスク・ドライブ・カートリッジであって、前記カートリッジ・シェルが、前記ストレージ・シェルフ内に保管し、前記ロボット・アクセサによって把持されるための外側寸法フォームファクタを備え、前記外部データ転送インターフェースが、前記カートリッジ・シェルに取り付けられ、前記ケース入り磁気ディスク・ドライブ・アセンブリに結合されて、前記自動データ記憶ライブラリに対してデータ転送を提供し、
前記カートリッジ・シェルが、前記携帯用データ記憶媒体カートリッジと実質的に同一の外側寸法フォームファクタを備えている、請求項１８に記載の携帯用磁気ディスク・ドライブ・カートリッジ。
【請求項２０】
前記転送機構が、前記携帯用磁気ディスク・ドライブ・カートリッジに対してデータ転送を提供し、複数の位置合せピンを備えており、前記携帯用磁気ディスク・ドライブ・カートリッジが、前記外部データ転送インターフェースに前記位置合せピンを受けるための複数の位置決め穴をさらに備えて、前記外部データ転送インターフェースを前記転送機構と位置合せし、
前記位置決め穴が、電気抵抗を有するプラスチック材料内に形成され、前記材料が前記磁気ディスク・ドライブ・アセンブリにその接地部で電気的に結合され、それによって前記材料を介して前記位置合せピンまでの静電放電経路が形成される、請求項１８に記載の携帯用磁気ディスク・ドライブ・カートリッジ。
【請求項２１】
前記外部データ転送インターフェースが、電力を、前記転送機構から前記ケース入り磁気ディスク・ドライブ・アセンブリに送るための、前記ケース入り磁気ディスク・ドライブ・アセンブリに結合された送電インターフェースをさらに備え、
前記送電インターフェースが、前記フレックス・ケーブルを介して前記ケース入り磁気ディスク・ドライブ・アセンブリに結合されている、請求項１８に記載の携帯用磁気ディスク・ドライブ・カートリッジ。
【請求項２２】
携帯用データ記憶媒体カートリッジをストレージ・シェルフ内に保管し、前記携帯用データ記憶カートリッジを把持し輸送するための少なくとも１つのロボット・アクセサを有することができる自動データ記憶ライブラリと共に使用するための携帯用磁気ディスク・ドライブ・カートリッジであって、
前記ストレージ・シェルフ内に保管し、前記ロボット・アクセサによって把持されるための外側寸法フォームファクタを備えたカートリッジ・シェルと、
前記カートリッジ・シェルに搭載された、ケース入り磁気ディスク・ドライブ・アセンブリと、
前記ケース入り磁気ディスク・ドライブ・アセンブリに結合されて、前記自動データ記憶ライブラリに対してデータ転送を提供する外部データ転送インターフェースとを備え、
前記カートリッジ・シェルが、前記携帯用データ記憶媒体カートリッジと実質的に同一の外側寸法フォームファクタを備えている、携帯用磁気ディスク・ドライブ・カートリッジ。
【請求項２３】
前記磁気ディスク・ドライブ・カートリッジの外部データ転送インターフェースと対合するための端末データ転送インターフェースと、
前記磁気ディスク・ドライブ・カートリッジを、前記外部データ転送インターフェースと前記端末データ転送インターフェースの対合する位置に位置付けするための装填装置と、
前記外部データ転送インターフェースを前記端末データ転送インターフェースと位置合せするための、前記磁気ディスク・ドライブ・カートリッジの対応する複数の位置決め穴と対合する複数の位置合せピンとを備え、
前記磁気ディスク・ドライブ・カートリッジの前記位置決め穴が、その静電源に電気的に結合され、前記転送機構の位置合せピンが導電性であり、接地経路に結合され、それによって前記磁気ディスク・ドライブ・カートリッジの前記位置決め穴から前記接地経路までの静電放電経路が形成される、携帯用磁気ディスク・ドライブ・カートリッジに対してデータ転送を提供するための転送機構。
【請求項２４】
前記磁気ディスク・ドライブ・カートリッジの前記外部データ転送インターフェースが、送電インターフェースをさらに備え、
前記端末データ転送インターフェースが、
電力を、前記転送機構から前記磁気ディスク・ドライブ・カートリッジの前記送電インターフェースに送るための端末送電インターフェースと、
前記磁気ディスク・ドライブ・カートリッジと前記端末送電インターフェースとの間の電気的接触を確認するための、前記カートリッジ送電インターフェースへの電流に対応する電気的接触確認検出器とをさらに備える、請求項２３に記載の転送機構。
【国際調査報告】
2004525475.tif 000073
2004525475.tif 000074